(57)【要約】      （修正有）【課題】  物をなくした人、拾った人が簡便に届け出でき、コスト的にも安い、紛失物検索通知方法を提供する。【解決手段】  ＩＤラベルを購入し、会員となる者を、前記ＩＤに対応して氏名及び連絡先を会員データベース１６ａに登録する会員登録ステップと、前記ＩＤラベルの付された物が紛失した連絡を受けたとき、紛失・発見データベース１６ｂにその紛失物の紛失日及び紛失場所を登録する紛失登録ステップと、第三者から前記ＩＤラベルが付された物が発見された連絡を受けたとき、前記紛失・発見データベース１６ｂの前記ＩＤに対応して発見された物を有する発見者の連絡先を登録する発見登録ステップと、前記紛失・発見データベースの対応ＩＤのレコードに発見情報が登録されているか又は紛失情報が登録されているかを検索する検索ステップと、発見情報又は紛失情報が見つかったとき、前記希望者に紛失物が見つかった旨を通知する通知ステップと、を有する。【選択図】図１
2005084925.tif 000002
【特許請求の範囲】
【請求項１】
他の部分の符号により所定規則で変化するチェックデジットが組み込まれた複数の符号から成るＩＤの記載されたＩＤラベルを購入し、このＩＤを通知して会員となることを希望する者に対して、前記ＩＤに対応して前記希望者の氏名及び連絡先を会員として会員データベースに登録する会員登録ステップと、
前記希望者により前記ＩＤラベルの付された物が紛失した旨の連絡を受けたとき、紛失・発見データベースにその紛失物の紛失日及び紛失場所を登録する紛失登録ステップと、
第三者から前記ＩＤラベルが付された物が発見された旨の連絡を受けたとき、前記紛失・発見データベースの前記ＩＤに対応して発見された物を有する発見者の連絡先を登録する発見登録ステップと、
前記紛失登録ステップにより紛失情報が前記紛失・発見データベースに登録されるとき、又は前記発見登録ステップにより発見情報が前記紛失・発見データベースに登録されるとき、前記紛失・発見データベースの対応ＩＤのレコードに発見情報が登録されているか又は紛失情報が登録されているかを検索する検索ステップと、
この検索ステップにより、発見情報又は紛失情報が見つかったとき、前記希望者に紛失物が見つかった旨を通知する通知ステップと、
を有することを特徴とする紛失物検索通知方法。
【請求項２】
前記送付登録ステップにおいて作成される前記ＩＤは、複数の数字から成ることを特徴とする請求項１記載の紛失物検索通知方法。
【請求項３】
会員の情報が登録される会員データベースと、
会員の希望者に対して、他の部分の符号により所定規則で変化するチェックデジットが組み込まれた複数の符号から成るＩＤに対応して前記希望者の氏名及び連絡先を会員として前記会員データベースに登録する会員登録手段と、
前記希望者により前記ＩＤラベルが付された物が紛失した旨の連絡を受けたとき、紛失・発見データベースの前記ＩＤに対応してその紛失物の紛失日及び紛失場所を登録する紛失情報登録手段と、
第三者から前記ＩＤラベルが付された物が発見された旨の連絡を受けたとき、前記紛失・発見データベースの前記ＩＤに対応して発見された物を有する発見者の連絡先を登録する発見情報登録手段と、
前記紛失登録ステップにより紛失情報が前記紛失・発見データベースに登録されるとき、又は前記発見登録ステップにより発見情報が前記紛失・発見データベースに登録されるとき、前記紛失・発見データベースの対応ＩＤのレコードに発見情報が登録されているか又は紛失情報が登録されているかを検索する検索手段と、
この検索ステップにより、発見情報又は紛失情報が見つかったとき、前記希望者に紛失物が見つかった旨を通知する通知手段と、
を有することを特徴とする紛失物検索通知サイト。
【請求項４】
前記紛失情報登録手段により登録されたとき、前記ＩＤの付されていた物を公開して捜索する紛失物公開捜索手段を更に有することを特徴とする請求項３記載の紛失物検索通知サイト。
【請求項５】
他の部分の符号により所定規則で変化するチェックデジットが組み込まれた複数の符号から成るＩＤが記載されたＩＤラベルが付された物が紛失したとき、前記ＩＤに対応して１レコードとして前記物の紛失情報を記録すると共に、前記ＩＤラベルの付された物が発見されたとき前記ＩＤに対応するレコードにこの発見情報を記録することを特徴する紛失物検索のための紛失・発見データベース。
【請求項６】
他の部分の符号により所定規則で変化するチェックデジットが組み込まれた複数の符号から成るＩＤが記載され、会員となることの希望者の所定の物に付されるＩＤラベルであって、
前記物に付されたとき外部から見えない部分に前記希望者の署名欄が設けられて成ることを特徴とする、紛失物検索のためのＩＤラベル。
【発明の詳細な説明】
【技術分野】
【０００１】
本発明は、忘れ物や落し物を見つけて所有者に通知する紛失物検索通知方法などに関する。
【背景技術】
【０００２】
従来、通常の人は、自分の所有する物をどこかに忘れたり落としたりする（ここではまとめて、紛失するという）ことはしばしばあるが、このような場合、場所がどこであったか漠然としか特定できないことが多く、特に価値が大きい物ならともかく、そうでなければ探す手間などを考え、あるいは日常生活に追われて探すことをあきらめてしまうことが多かった。
【０００３】
このような落し物や忘れ物（ここでは紛失物という）を簡単にしかも迅速に見つけ出すために種々のシステムが考えられている。例えば特許文献１に記載されているように、落とす可能性のある携帯電話などにＩＤを記載したタグを貼っておく一方、センターのＩＤデータベースにそのＩＤを記憶させておき、その物を落とした場合に所有者から連絡があるとＩＤに基づいて検索し、別途、落し物発見の届出があった場合には、所有者に連絡などをするシステムである。しかしこのシステムでも、センターにはＩＤデータベース、会員データベース及びパスワードデータベースを備えて、センターからパスワードを発行して、ユーザ登録するときにはパスワードを用いるなどコストがかかりまたユーザにとっては、紛失時にＩＤとパスワードが必要となり、手続的にも面倒であるという問題があった。
【０００４】
所有者にとって紛失するかどうかは予めわかっていないのが普通であるから、紛失物の発見システムはコストが充分安く、しかも紛失者にとってもその発見者にとっても簡単に手続きできないと面倒で、結局、実現することは困難であり、実働している大きなシステムはなかった。
【特許文献１】特開２００３−６７５４２号公報
【発明の開示】
【発明が解決しようとする課題】
【０００５】
本発明は、上記のような従来の紛失物の検索システムの問題点に鑑みてなされたもので、紛失物をなくした人にとってもそれを拾った人にとっても簡便に届け出でき、しかも全体としてコスト的にも安い、紛失物検索通知方法などを提供することを目的とする。
【課題を解決するための手段】
【０００６】
本発明の請求項１によれば、他の部分の符号により所定規則で変化するチェックデジットが組み込まれた複数の符号から成るＩＤの記載されたＩＤラベルを購入し、このＩＤを通知して会員となることを希望する者に対して、前記ＩＤに対応して前記希望者の氏名及び連絡先を会員として会員データベースに登録する会員登録ステップと、前記希望者により前記ＩＤラベルの付された物が紛失した旨の連絡を受けたとき、紛失・発見データベースにその紛失物の紛失日及び紛失場所を登録する紛失登録ステップと、第三者から前記ＩＤラベルが付された物が発見された旨の連絡を受けたとき、前記紛失・発見データベースの前記ＩＤに対応して発見された物を有する発見者の連絡先を登録する発見登録ステップと、前記紛失登録ステップにより紛失情報が前記紛失・発見データベースに登録されるとき、又は前記発見登録ステップにより発見情報が前記紛失・発見データベースに登録されるとき、前記紛失・発見データベースの対応ＩＤのレコードに発見情報が登録されているか又は紛失情報が登録されているかを検索する検索ステップと、この検索ステップにより、発見情報又は紛失情報が見つかったとき、前記希望者に紛失物が見つかった旨を通知する通知ステップと、を有することを特徴とする紛失物検索通知方法を提供する。
【０００７】
本発明の請求項３によれば、会員の情報が登録される会員データベースと、会員の希望者に対して、他の部分の符号により所定規則で変化するチェックデジットが組み込まれた複数の符号から成るＩＤに対応して前記希望者の氏名及び連絡先を会員として前記会員データベースに登録する会員登録手段と、前記希望者により前記ＩＤラベルが付された物が紛失した旨の連絡を受けたとき、紛失・発見データベースの前記ＩＤに対応してその紛失物の紛失日及び紛失場所を登録する紛失情報登録手段と、第三者から前記ＩＤラベルが付された物が発見された旨の連絡を受けたとき、前記紛失・発見データベースの前記ＩＤに対応して発見された物を有する発見者の連絡先を登録する発見情報登録手段と、前記紛失登録ステップにより紛失情報が前記紛失・発見データベースに登録されるとき、又は前記発見登録ステップにより発見情報が前記紛失・発見データベースに登録されるとき、前記紛失・発見データベースの対応ＩＤのレコードに発見情報が登録されているか又は紛失情報が登録されているかを検索する検索手段と、この検索ステップにより、発見情報又は紛失情報が見つかったとき、前記希望者に紛失物が見つかった旨を通知する通知手段と、を有することを特徴とする紛失物検索通知サイトを提供する。
【０００８】
本発明の請求項５によれば、他の部分の符号により所定規則で変化するチェックデジットが組み込まれた複数の符号から成るＩＤが記載されたＩＤラベルが付された物が紛失したとき、前記ＩＤに対応して１レコードとして前記物の紛失情報を記録すると共に、前記ＩＤラベルの付された物が発見されたとき前記ＩＤに対応するレコードにこの発見情報を記録することを特徴する紛失物検索のための紛失・発見データベースを提供する。
【０００９】
本発明の請求項６によれば、他の部分の符号により所定規則で変化するチェックデジットが組み込まれた複数の符号から成るＩＤが記載され、会員となることの希望者の所定の物に付されるＩＤラベルであって、前記物に付されたとき外部から見えない部分に前記希望者の署名欄が設けられて成ることを特徴とする、紛失物検索のためのＩＤラベルを提供する。
【発明の効果】
【００１０】
本発明によれば、紛失物の紛失者にとってもそれの発見者にとっても簡便に手続きできしかも低コストの紛失物検索通知方法などが得られる効果がある。
【発明を実施するための最良の形態】
【００１１】
以下、本発明の実施形態について図面を用いて説明する。図１に本発明一実施形態の全体の構成例を示す。この紛失物検索通知システム１０は、ネットワーク、例えばインターネット１１に接続された紛失物検索通知サイト１２と、この紛失物検索通知サイト１２にインターネット１１を介して有線あるいは無線でアクセス可能なユーザ端末１３ａ，１３ｂ，１３ｃ，１３ｄから成る。これらのユーザ端末は、ノート型パソコン、携帯端末、携帯電話、ＰＨＳ、通信可能な携帯メディア機器などであり、インターネットにアクセスし情報を入力し表示できるものであれば何であってもよく、これらのユーザ端末は、所有者がユーザ登録するとき、登録した物を紛失したとき、他の者が登録物を拾得したときなどに使われる。
【００１２】
紛失物検索通知サイト１２は、インターネット１１への信号を送出及び受信する送受信部１４と、紛失物の検索通知サービスを希望する者を会員登録する会員登録部１５と、会員を後述するようにデータベースとして記憶する会員データベース（ＤＢ）１６ａと、会員からの紛失物の情報及び拾得者からの発見物の情報を登録する紛失・発見ＤＢ１６ｂと、会員からの連絡を受けて紛失物の情報を紛失・発見ＤＢ１６ｂに登録し、発見されていないかどうか検索する紛失情報登録検索部１７と、紛失物発見の情報を受けて紛失・発見ＤＢ１６ｂに紛失物発見の情報を登録しその紛失物が紛失物として登録されていないかどうか検索する発見情報登録検索部１８と、紛失物として登録が完了した時点でインターネット上に公開して捜査を開始し第三者からの情報を得る紛失物捜査部１９と、発見者に特典を与えるプロモーション部２０と、紛失物の所有者や発見者に電子メールや電話、ＦＡＸなどで通知する通知部２１と、この紛失物検索通知サイト全体を制御する制御部２２とから成る。
【００１３】
図２に、本発明による紛失物検索通知サービスの会員として登録する手続きの流れの例を示す。まずステップＳ２０１で、本発明の紛失物検索通知サービスを利用しようとする者は、コンビニや販売店などで、このサービスを利用するための紛失物検索通知セットを購入する。
【００１４】
紛失物検索通知セットには、後述するＩＤラベル（ここでは「あんしール」という）が例えば４枚、固着されたラベルシートと、会員登録の申込用のはがきと、このサービスを利用するときの簡単な説明書や契約書（約款）などが入っている。ラベルシートの「あんしール」及び申込用のはがきには、予め紛失物検索通知セット毎に異なり、４枚の「あんしール」には同一のＩＤが印刷されている。これらのＩＤは外部から見えないように同封されており、販売店などで、第三者がＩＤを知って後でそのＩＤを悪用されるようなことはない。
【００１５】
説明書には、同封のはがきに氏名や住所など個人情報を記載して送付すれば、紛失物検索通知サービスの会員として登録される旨が記載され、またユーザ端末からネットワークを介して直接、登録することもできることが記載されている。
【００１６】
ステップＳ２０２では、例えば会員登録申込書になっているはがきに自分の氏名、住所などを記入し郵便ポストに投函することによりこの紛失物検索通知サービスの申し込みをする。
【００１７】
インターネットを介して会員登録の申し込みをする場合には、例えば図３に示すユーザ端末１３ａの入力表示画面から個人情報を入力する。図示するように、紛失物検索通知サービスを申し込む旨の表示の後に、氏名記入欄３１、性別選択記入欄３２、生年月日記入欄３３、郵便番号記入欄３４、住所記入欄３５、連絡先１である電話番号記入欄３６、連絡先２である電子メールアドレス記入欄３７がある。これらに、直接、キーボードによって記入し、あるいはドロップダウンメニューからマウスによって選択することによって申込者の氏名、住所、電話番号、電子メールアドレスを入力する。なお、郵便番号記入欄３４には、郵便番号を記入すると、住所の途中までが自動的に表示されるようになっている。
【００１８】
この後、送信ボタン３９をマウスでクリックしてサービス申し込み情報及び申込者の個人情報を紛失物検索サイト１２に送る。
【００１９】
一方、紛失物検索通知サービスを行う側では、上記のように郵便により会員登録の申し込みを受けると、手作業により会員登録部１５を介して会員データベース１６に会員としての登録を行う。
【００２０】
また、ユーザ端末１３ａから紛失物検索通知サービスの申し込みがされた場合には、紛失物検索通知サイト１２の送受信部１４で受信され、会員登録部１５に送られる。会員登録部１５は、ユーザ端末１３ａからの申し込みに応じ、上述のようにユーザ端末１３ａから入力されたＩＤ番号（識別番号）と、氏名などの個人情報を入力することにより、会員データベース１６ａに会員として登録される（ステップＳ２０３）。このように１人が紛失物検索通知セット１個を購入した限りでは、１つのＩＤは１人の会員に対応することになる。
【００２１】
ここで、「あんしール」に印刷されている、ＩＤ番号について図４により説明する。このＩＤ番号は、例えば５桁毎に区切られた各々０〜９の数字から成る数字列であり、これらの数字列の何桁目か、例えば８桁目と１５桁目に、数字の入力チェックのためのチェックデジット４１，４２が入っている。これらのチェックデジットは、その前までの数字の値により変化する。
【００２２】
例えば８桁目のチェックデジット４１はその前までの７つの数値各々に前に向かって順に２，１を交互に掛け算し、それらを加算して１位の数値を求め、この数値を１０から減算してチェックデジット４１を決める（モジュラス１０）。例えば、７桁までの数値に２，１を掛けた合計値が６４となったとすると、１０−４＝６が８桁目のチェックデジット４１の値となる。１５桁目のチェックデジットについても同様にして決める。８桁目までの数値を含めてチェックデジットを求めてもよいし、９桁目から１４桁目を上述のように演算してもよい。
【００２３】
なお、チェックデジットは、箇所に設ける必要はなく、１つのＩＤ番号に１、３箇所あるいは４箇所以上に設けてもよい。また上記のように、チェックデジットは先のチェックデジットとオーバラップさせることなく、例えば第２のチェックデジットを９桁目から１４桁目の数字に応じて定めるようにしてもよい。また、モジュラス１０でなく、１１から１桁目の数値を減算するモジュラス１１など、他の規則によりチェックデジットを決めるようにしてもよい。
【００２４】
ここで、会員登録部１５により会員登録データベース１６に登録される１レコードの構成例を図５（ａ）に示す。上記のように予め「あんしール」に印刷されたＩＤ番号４７に対して、所有者氏名（漢字）４８、所有者氏名（カナ）４９、郵便番号（７桁）５０、住所（１〜３）５１、生年月日５２、性別５３、電話番号５４、発見時連絡先（１〜３）５５、有効年月日５６、セット購入動機（任意）５７、セット購入場所（任意）５８の記憶欄が設けられている。発見時連絡先（１〜３）は、例えば各々所有者の電話番号、ＦＡＸ番号、電子メールアドレスである。
【００２５】
紛失物検索通知セットには、ＩＤラベル（「あんしール」）が張られたＩＤラベルシートが同封されている。このＩＤラベルシートは、例えば図６に示すように、シート１枚毎にＩＤ番号７１を記載した「あんしール」７２を例えば４枚、取り外して他の物に貼付け可能に１枚の台紙に貼り付けた用紙であり、１シートに貼付けられた各「あんしール」１〜４のＩＤ番号は同じものである。この場合、各「あんしール」７２の表面には、ＩＤ番号のほか、このラベルが貼り付けられた物を発見した場合には所定の電話番号に連絡をするか、ＵＲＬにアクセスして連絡して欲しい旨、記載されている。
【００２６】
上記「あんしール」としては、最低限ＩＤ番号と発見時の連絡先が記載されていればよく、図８（ａ）に示すようにＩＤ番号と発見の際の電話番号のみを記載した小さいものであってもよく、また長方形に限らず、図８（ｂ）に示すように楕円形状や円形状をしたものであってもよい。紛失に備えて貼られる物が携帯電話など比較的小さい物の場合にはこのように、小さい「あんしール」が好まれる。
【００２７】
上述のようにして、会員申込者の会員ＤＢ１６ａへの登録が完了すると、ステップＳ２０４において当該会員宛に、会員として登録されたことを知らせる会員登録通知票を郵便により送付し、会員登録手続が終了する。
【００２８】
ユーザ端末により会員申し込みがあった場合には、その端末に対して会員となったサービス申込者の氏名及び連絡先・住所を会員データベース１６ａに登録し、通知部２１から、その会員宛に、会員登録した旨を例えば送受信部１４を介して電子メールによりあるいは電話により通知すると共に、上記ラベルシートをその会員の住所宛に電子メールの添付として会員登録通知票を送付する（ステップＳ２０４）。このようにして紛失物検索通知サービスの会員登録手続が終了する。
【００２９】
会員となったサービス申込者は、送られてきた各紛失ラベルシートをはがして、落としたり忘れそうな物に、各々貼り付ける。このとき、紛失ラベルをシートからはがすと、図７に示すように、このラベルの裏面に所有者の署名欄が設けられているので、この欄に署名してから物に貼り付ける。
【００３０】
このようにすれば、後で紛失物が発見されたときその「あんしール」をはがして筆跡を確認することにより、これが貼り付けられていた物が署名した人の所有物であることを一応確認できる利点がある。このようにして、所有者は「あんしール」の裏面に署名し、各ラベルを自分が所有する紛失しそうな物に貼り付けておく。一方、所定のＩＤ番号はその会員の個人情報として会員データベース１６ａに記憶される。
【００３１】
なお、所有者の署名は、「あんしール」をカーボン紙が中に挟まれたような構造にして、物に貼り付ける前に、これに上から署名すると、ラベルの中でのみ署名が可視化されるようにすることもできる。
【００３２】
次に、会員となったサービス利用者が、上記のように「あんしール」を所有物に貼り付けた後、その物を紛失したときの本発明一実施形態の動作について説明する。図９にこのときのフローチャートを示す。なお、紛失・発見ＤＢ１６ｂへの書き込みは、あるＩＤ番号の貼られた物の紛失あるいは、発見が通知されたときに初めてなされるのであり、紛失も発見もされていない物についてはこのデータベースには記憶されない。
【００３３】
図９において、既に登録されている会員から、電話、ＦＡＸ、電子メールなどにより、「あんしール」を貼り付けた物を、どこかに置き忘れたか落としたかして紛失してしまった旨の連絡が、ステップＳ９０１で、あったとする。このとき、その連絡を受け、紛失物検索通知サイト１２の紛失情報登録検索部１７は、その会員の氏名と紛失した物などを手がかりに、会員データベース１６ａを検索してまずＩＤ番号を調べる。そして、ステップＳ９０２において、所有物を紛失した会員からの連絡により、紛失情報即ち、紛失日時６０、紛失場所６１、紛失物件６２が紛失・発見ＤＢ１６ｂに書き込まれると共に該当ＩＤ番号に対する紛失情報に基づいて公開捜査を開始する。このとき、会員から連絡のあった紛失物件名、紛失日時、紛失場所が、例えばインターネットでホームページに上げることにより公開されるが、その物件の個人情報は公にされない。
【００３４】
ところで、紛失・発見ＤＢ１６ｂは、内部的には図５（ｂ）に示すように紛失情報部と発見情報部に分かれている。紛失情報部の各レコードは、ＩＤ番号に応じて、紛失日時６０、紛失場所６１、紛失物件６２、発見有無フラグ６３、公開捜査開始日時６４、公開捜査終了日時６５から成る。既に対象物が発見されているか否かは、発見有無フラグ６３に１が立っているか否かにより検知される。紛失・発見ＤＢの発見情報部は、「あんしール」が貼られた物が発見されたとき、各ＩＤ番号に対応して発見者からの連絡により、発見者氏名（漢字）６６、発見者氏名（カナ）６７、連絡先、発見日時６８、発見場所６９、発見物件７０が記憶される。
【００３５】
次のステップＳ９０３では、対応するＩＤ番号に基づいて、紛失物が既に発見されているかどうかを検知するために紛失・発見ＤＢ１６ｂを検索する。発見有無フラグ６３が１となっていると、既に発見されているのであるから、ステップＳ９０４に移り、会員ＤＢ１６ａによりそのＩＤ番号から発見時連絡先３として記憶されている電子メールアドレス宛に該当ＩＤ物が見つかった旨を通知する。電子メールアドレスが記憶されていなければ、ＦＡＸ番号あるいは電話番号に紛失物が見つかった旨連絡し、必要に応じて紛失物を所有者に送る手はずを整えることになる。
【００３６】
なお、紛失物を所有者にどのように返すかどうかは、発見者の住所が所有者の住所から離れている場合や、所有者への配送に高い送料がかかる場合など、種々の状況を見て調整し判断される。
【００３７】
ステップＳ９０５では、その紛失物の発見者を紛失・発見ＤＢ１６ｂ内で検索し、図５（ｂ）に示す発見者氏名欄から発見者を探し出す。同図には記載していないが当然発見者の連絡先も記憶されている。この連絡先である、電子メールアドレス、ＦＡＸ番号、電話番号により、後日、抽選によって品物が当たることがある旨、発見者に通知される。
【００３８】
発見者に関する後日の抽選はプロモーション部２０においてなされ、紛失・発見ＤＢ１６ｂに記憶されている、発見者の連絡先を参照して、当たった発見者に通知される。
【００３９】
一方、紛失・発見ＤＢ１６ｂの公開捜査日時６４を参照して、紛失物が紛失日時から所定期間、例えば１ヵ月経過しても発見されない場合には、ステップＳ９０７で公開捜査を終了し、会員ＤＢ１６ａを調べて紛失したことを通知してきた所有者に、紛失物が発見されなかったことが通知される。
【００４０】
次に、「あんしール」が貼られた物が発見された場合の本実施形態の動作について図１０を用いて説明する。この紛失物の発見は、上述の紛失情報の連絡の前になされる場合もありまたその後になされる場合もあり、更に所定期間内に紛失物が見つからなかった場合ではこの手続きがなされない。
【００４１】
まず、ステップＳ１００１で例えば図１のユーザ端末１３ｄを用いている第三者からインターネット１１を介して紛失物検索通知サイト１２に「あんしール」の付いた物を拾った旨の連絡が入ったとする。このとき、発見者氏名、発見者の連絡先、発見日時、発見場所、発見物件もユーザ端末１３ｄから紛失物検索通知サイト１２に通知される。これらの情報は、紛失物検索通知サイト１２内の送受信部１４から発見情報登録検索部１８に送られ、紛失・発見ＤＢ１６ｂの発見情報部に図５（ｂ）に示すように、発見者氏名（漢字）発見者氏名（カナ）６７、発見日時６８、発見場所６９、発見物件７０として記憶される（ステップＳ１００２）。次に、発見情報登録検索部１８は、紛失・発見ＤＢ１６ｂの紛失情報部を調べて、同じＩＤ番号のレコードがあるかどうか検知する（ステップＳ１００３）。
【００４２】
既に紛失物として登録されていれば、ステップＳ１００４に移り、会員ＤＢ１６の該当するＩＤ番号の図５に示す所有者氏名４８、所有者の発見時連絡先（１〜３）５５を検索して、通知部２１から所有者に、紛失物が見つかった旨通知される。また発見者には、プロモーション部２０から、抽選により当たる可能性のあることが通知される。
【００４３】
ステップＳ１００３において、対応するＩＤ番号の物がまだ紛失物として登録されていなければ、そのまま終了する。
【００４４】
本発明のこの実施形態によれば、ＩＤとして数字を用いているので、アルファベットをもＩＤに含める場合に比して、入力しやすい。一方、ＩＤの途中に他の部分の数字に依存するチェックデジットを用いているので、うろ覚えで入力しても間違うことが多く、他人のＩＤの一部を見て入力するなど、なりすましを防止できる。したがってなりすまし防止のために、特別に覚える必要があるパスワードを必要とせず、パスワードのデータベースを必要としない。しかし、本発明のＩＤとしては、数字だけでなく英文字などを含めるようにしてもよい。
【００４５】
上記実施形態では、ラベルを紛失しそうな物に貼り付けるとして説明したが、必ずしも貼り付ける必要はなく、ＩＤの記載されたラベルが物に対応して付されていればよい。
【００４６】
上記実施形態では、紛失・発見データベースの紛失情報部に発見有無のフラグを設けていたが、発見情報部に紛失有無のフラグをつけるなどであってもよい。
【００４７】
また、本発明ではＩＤラベルに無線タグなどのＩＣチップを貼り付け、これを利用してＩＤなどを調べるようにすることもできる。更に、ＩＤラベルに、小型のＧＰＳ装置を取り付け、このＧＰＳ装置からの位置情報を検知して、紛失物が現在どこにあるかを検知するようにすることも可能である。
【００４８】
また上記実施形態では、会員となりたい者が申し込み手続をしていたが、申込者に代わって第三者が一括して会員の登録手続を行うようにしてもよい。このようにすれば、申込者にとって手続を行うことなく容易に紛失物発見サービスの会員になることが可能であり、一方上記第三者は一括してＩＤラベルを付することができ、しかもこの第三者がＩＤラベルを付した物の販売者や製造者である場合には、顧客の紛失に対応してその物を発見するサービスを行うことが可能となる。
【産業上の利用可能性】
【００４９】
紛失・発見データベースを有して、ＩＤに対応してＩＤラベル（「あんしール」）の付された物の紛失情報及び発見情報が記録されるので、容易に紛失物を見つけることが可能である。
【図面の簡単な説明】
【００５０】
【図１】本発明の一実施形態の全体の構成例を示す図。
【図２】本発明の一実施形態における会員登録の処理を説明するための図。
【図３】本発明の一実施形態において紛失物があったときその通知を行う画面例を示す図。
【図４】本発明の一実施形態におけるＩＤ番号の構成例を説明するための図。
【図５】本発明の一実施形態において、会員データベース及び紛失・発見データベースに作成されるレコードの構成例を示す図。
【図６】本発明の一実施形態において会員に送付されるＩＤラベルシートの例を示す図。
【図７】本発明の一実施形態における「あんしール」の裏面の例を示す図。
【図８】本発明一実施形態におけるＩＤが記載された「あんしール」の例を示す図。
【図９】本発明一実施形態においてＩＤラベルが付された物が紛失したときの手続きの流れを示す図。
【図１０】本発明一実施形態においてＩＤラベルが付された物が発見されたときの手続きの流れを示す図。
【符号の説明】
【００５１】
１０・・・紛失物検索通知システム、
１１・・・インターネット、
１２・・・紛失物検索通知サイト、
１３ａ，１３ｂ，１３ｃ，１３ｄ・・・ユーザ端末、
１４・・・送受信部、
１５・・・会員登録部、
１６ａ・・・会員データベース（ＤＢ）、
１６ｂ・・・紛失・発見データベース（ＤＢ）
１７・・・紛失情報登録検索部、
１８・・・発見情報登録検索部、
１９・・・紛失物捜査部、
２０・・・プロモーション部、
２１・・・通知部、
２２・・・制御部、
３１・・・氏名記入欄、
３２・・・性別選択記入欄、
３３・・・生年月日記入欄、
３４・・・郵便番号記入欄、
３５・・・住所記入欄、
３６・・・電話番号記入欄、
３７・・・電子メールアドレス記入欄、
３９・・・送信ボタン。
【図１】
2005084925.tif 000003
【図２】
2005084925.tif 000004
【図３】
2005084925.tif 000005
【図４】
2005084925.tif 000006
【図５】
2005084925.tif 000007
【図６】
2005084925.tif 000008
【図７】
2005084925.tif 000009
【図８】
2005084925.tif 000010
【図９】
2005084925.tif 000011
【図１０】
2005084925.tif 000012